(57)【特許請求の範囲】
【請求項１】
遊技媒体を利用した遊技を実現する遊技演出体を内部に保持する枠体の前方に配置され、その一側部近傍において上下に延びる揺動軸を中心に前後揺動可能とされた前面枠と、
前記枠体の前方であって前記前面枠の下方に配置されて遊技媒体を貯留する貯留皿をその前面側に有し、前記前面枠と協働して前記枠体の前方を閉鎖する皿枠と、を有する遊技機であって、
皿枠に対向する前面枠の下面には下方に突出する１又は複数の下向きリブが設けられると共に前面枠に対向する皿枠の上面には上方に突出する１又は複数の上向きリブが設けられ、下向きリブの下端の高さ位置が上向きリブの上端の高さ位置以下とされており、
下向きリブ及び上向きリブが、いずれも前後に沿って延びる方向に設けられている遊技機。
【請求項２】
下向きリブの下端の高さ位置又は上向きリブの上端の高さ位置のうち少なくともいずれか一方が、前後方向に亘って変化するように傾斜している請求項１に記載の遊技機。
【請求項３】
前記揺動軸から一の前記下向きリブまでの距離をＲ、前記前面枠が前記枠体に対して閉鎖状態にある場合における該一の下向きリブの後端部から該一の下向きリブの前記揺動軸側に隣り合う前記上向きリブの前端部までの長さをＬとしたときに、下向きリブと上向きリブとの距離Ｗが以下の条件式を満足する請求項１又は請求項２に記載の遊技機。
Ｗ  ≧  （Ｒ２＋Ｌ２）１／２  −  Ｒ
【請求項４】
前記前面枠が前記枠体に対して閉鎖状態にある場合に、
前記下向きリブの下端が前記皿枠の上面と離間し、かつ前記上向きリブの上端が前記前面枠の下面と離間している請求項１から請求項３のうちいずれか１項に記載の遊技機。
【発明の詳細な説明】
【技術分野】
【０００１】
本発明は、遊技機に係り、特に、前面枠と皿枠との隙間に不正具が挿入されるのを防止することのできる遊技機に関する。
【背景技術】
【０００２】
パチンコ機等の遊技機においては、弾球された球が遊技領域（遊技盤面上又はその近傍に形成された領域であって、球の流下による遊技や演出を実現するための領域。）を流下して、その流下の過程で球が遊技領域内の障害釘（ゲージともいう。）や羽根車に衝突しつつ転回して流下方向が変化する。その結果、遊技領域上に配置された各種入賞口に球が入賞すれば所定の景品球払出しがされ、一方いずれの入賞口にも入賞せずアウト口に球が流入すれば景品球払出しはされない。遊技者は、弾球における自らの技量を発揮して、又は球の流下における偶然性を利用しつつ球の入賞及び景品球払出しを期待し、遊技を楽しむのである。
【０００３】
このようなパチンコ機は、機器全体が複数の枠体により囲まれるように構成されて、球の円滑な流下、遊技者による遊技盤への不正アクセス防止、パチンコホールへの設置性の向上、メンテナンス性の向上等様々な機能を実現している。
【０００４】
例えば、木材、樹脂、金属等で形成された筐体枠が、パチンコ機全体の主に上下面及び左右側面を囲むように構成され、その筐体枠の内側には機枠が筐体枠に対して前方開閉可能に配置され、この機枠が遊技盤を保持している。これらの筐体枠及び機枠によって、主にパチンコ機の上下及び左右側方からの内部への不正アクセスが有効に防止されている。
【０００５】
その機枠の前方には前面枠や皿枠が機枠に対して前方開閉可能に配置され、この前面枠（装飾枠ともいう。）が遊技盤を視認可能とする前面ガラスやその周囲に配置される各種装飾部材を保持し、皿枠が球を貯留するための貯留皿をその前面側に有している。この前面枠及び皿枠によって、主にパチンコ機の前方から内部への不正アクセスが有効に防止されている。
【０００６】
これらの筐体枠、機枠、前面枠及び皿枠は相互に施錠装置によって施錠されて遊技者による内部への不正アクセスの防止が図られる。加えて、メンテナンス時にパチンコホール員や作業員によるパチンコ機内部へのアクセスを容易にするために、これらの枠部材は施錠装置の解錠によって容易に開放可能とされている。
【０００７】
例えば、パチンコ機を正面視した場合において、その左側部近傍にヒンジ構造を配し、右側部近傍に施錠装置を配することにより、施錠状態においてはヒンジ構造と施錠装置との協働によって前面枠を閉鎖維持し、解錠状態においては左側部近傍のヒンジ構造を中心として前面枠の右側部近傍を手前に大きく開放することができるように構成されている。また、皿枠においても、同様に左側部近傍や下部近傍にヒンジ構造を有したものがあり、施錠装置の解錠によって容易に手前に開放することができるようになっている。例えば、特許文献１には、このようなパチンコ機における前面枠と皿枠とが開示されている（例えば、図２を参照。）。
【０００８】
【特許文献１】特開平０９−１０８４２１号公報
【発明の開示】
【発明が解決しようとする課題】
【０００９】
しかしながら、前面枠及び皿枠は共に機枠に対して開閉可能な構造を有することから、前面枠の下辺と皿枠の上辺とを隙間なくぴったり密着させることは困難であり、両者の間には不可避的に隙間が存在する。そして、不正行為者がこの隙間に不正具を隠し置きしたり、隙間から不正具を挿入したりすることにより、遊技機を破損・誤動作させたり、不正に利益を得ようとする場合がある。例えば、この隙間から不正な電磁波等を発生する不正回路基板を挿入し、パチンコ機内部の電子回路に悪影響を与える不正が行われる場合がある。このような不正行為が遊技機に対して行われると、パチンコホールや他の遊技者が不測の不利益を被ったり、パチンコ機の破損を生じてしまい、遊技者が安心して遊技を行うことができなくなる。
【００１０】
更に、近年では遊技に対する遊技者の興趣を一層向上させるべく、遊技者側に大きく迫り出して迫力を増大させた前面枠や皿枠が用いられる場合がある。そのような前面枠や皿枠においては、前後方向の厚み（奥行き寸法）が大きくなり、伴って隙間の領域が大きくなるので、一層両枠の隙間に対して行われる不正行為を効果的に防止する必要がある。
【００１１】
本発明は、上記の事情に鑑みて為されたもので、前面枠と皿枠との隙間に対する不正行為を未然防止することにより、不正行為に対する耐性（耐不正行為機能）が高く、安心かつ安全に遊技を行うことのできる遊技機を提供することを例示的課題とする。
【課題を解決するための手段】
【００１２】
上記の課題を解決するために、本発明の例示的側面としての遊技機は、遊技媒体を利用した遊技を実現する遊技演出体を内部に保持する枠体の前方に配置され、その一側部近傍において上下に延びる揺動軸を中心に前後揺動可能とされた前面枠と、枠体の前方であって前面枠の下方に配置されて遊技媒体を貯留する貯留皿をその前面側に有し、前面枠と協働して枠体の前方を閉鎖する皿枠と、を有する遊技機であって、皿枠に対向する前面枠の下面には下方に突出する１又は複数の下向きリブが設けられると共に前面枠に対向する皿枠の上面には上方に突出する１又は複数の上向きリブが設けられ、下向きリブの下端の高さ位置が上向きリブの上端の高さ位置以下とされていることを特徴とする。
【００１３】
皿枠の上面に上向きリブを設けて皿枠の上面を凸凹状態とすることができるので、皿枠上面と前面枠下面との間に隙間があってもそこに不正回路基板等の不正具を置き難くすることができる。更に、前面枠の下面にも下向きリブを設けてその下端高さ位置を上向きリブの上端高さ位置以下としているので、隙間の断面をジグザグ形状とすることができ、不正回路基板等の隠し置きを一層困難なものとすることができる。その結果、例えば奥行き寸法が大きく迫力を増大させた前面枠や皿枠を有する遊技機であっても、耐不正行為機能を充分に発揮させることができ、安心かつ安全に遊技を楽しむことのできる遊技機とすることができる。
【００１４】
なお、ここにおいて遊技機は、典型的にはパチンコ機を意味するが、もちろん、パチスロ機やその他のゲーム機器等を含む概念である。また、遊技媒体及び遊技演出体は、パチンコ機においてはパチンコ球及び遊技盤を意味し、パチスロ機においてはコイン及び回胴体を意味する。「前方」は、この遊技機での遊技状態において遊技機から遊技者に向かう方向であり、後方は逆に遊技者から遊技機に向かう方向である。また、設置状態においてこの遊技機を正面視したときの上下左右方向を本願における上下左右方向とする。
【００１５】
遊技機において、下向きリブ及び上向きリブがいずれも前後に沿って延びる方向に設けられていてもよい。
【００１６】
上下のリブが前後に沿って延びる方向に設けられているので、前面枠を皿枠に対して前後に移動させる場合にリブ同士の干渉を避けることができる。例えば、揺動軸が遊技機の正面視左側部近傍に配置される場合において、前面枠を前方に揺動開放する際に前面枠は皿枠に対して略前方に（より具体的には、円弧を描きながら前方へと。）移動することとなる。その場合であっても、上下のリブが前後方向に沿って設けられていれば、リブ同士の干渉を防止して、スムーズな枠開放を実現することができる。
【００１７】
また、前面枠や皿枠を樹脂成型で形成する場合において、型抜き方向を前後方向とすることにより、前後方向に沿ったリブを容易に成型することができる。その場合、各枠の前面側に複雑形状の造形を成型することも容易となるので、不正防止効果と造形による興趣向上との両立を容易にすることができる。
【００１８】
下向きリブの下端の高さ位置又は上向きリブの上端の高さ位置のうち少なくともいずれか一方が、前後方向に亘って変化するように傾斜していてもよい。
【００１９】
リブ高さを奥行き方向に沿って傾けることにより、前面枠と皿枠との隙間における不正具の隠し持ちをより一層困難とすることができる。また、例えば下向きリブのリブ高さを、その下端の高さ位置が後方に向けて高い位置となるように（換言すれば、奥に行くほど上に上がるように。）設ければ、開放状態の前面枠を閉鎖する場合に、下向きリブの下端が皿枠の上面を掬うような状況となり、相互の衝突を避け、スムーズな前面枠の開閉に寄与することができる。特に、前面枠がその重量によって皿枠側に下がってしまった場合にも、両者の衝突を防止することができるので、遊技機の破損防止や耐久性向上に寄与することができる。
【００２０】
ここで、下向きリブの奥行き方向における高さの傾斜と上向きリブの奥行き方向における高さの傾斜を、水平方向に対して同傾斜としても逆傾斜としてもよい。同傾斜とした場合には、前面枠や皿枠の開閉動作を一層スムーズに実現することができるという効果を生じ、逆傾斜とした場合には、両枠の隙間への不正具の挿入を一層困難にすることができるという効果を生じる。
【００２１】
揺動軸から下向きリブまでの距離をＲ、前面枠が枠体に対して閉鎖状態にある場合における一の下向きリブの後端部からその揺動軸側に隣り合う上向きリブの前端部までの長さをＬとしたときに、下向きリブと上向きリブとの距離Ｗが条件式「Ｗ≧（Ｒ２＋Ｌ２）１／２−Ｒ」を満足してもよい。
【００２２】
下向きリブに隣り合う上向きリブまでの距離、特に揺動軸に近い側の上向きリブまでの距離を上記の条件式に基づいて算出された距離Ｗとすれば、前面枠の開閉動作によって下向きリブが円弧状の移動軌跡を呈したとしても下向きリブと上向きリブとが干渉せず、前面枠をスムーズに開閉することができる。したがって、遊技機の破損防止や耐久性向上に寄与することができ、結果的に遊技機のコスト低減を図ることができる。
【００２３】
前面枠が枠体に対して閉鎖状態にある場合に、下向きリブの下端が皿枠の上面と離間し、かつ上向きリブの上端が前面枠の下面と離間していてもよい。
【００２４】
前面枠と枠体との閉鎖状態においても、下向きリブと皿枠とが当接せず、かつ上向きリブと前面枠とが当接しないので、前面枠の開閉動作を繰り返した場合においても前面枠及び皿枠の損傷や磨耗を防止することができる。したがって、前面枠のスムーズな開閉を確保しつつ前面枠と皿枠との隙間への不正具の挿入を防止することができ、しかも、両枠の耐久性向上をも図ることができる。
【００２５】
本発明の更なる目的又はその他の特徴は、以下添付図面を参照して説明される好ましい実施の形態によって明らかにされるであろう。
【発明の効果】
【００２６】
本発明によれば、前面枠と皿枠との隙間の断面をジグザグ形状とすることができ、その隙間への不正回路基板等の不正具の挿入や隠し置きを効果的に防止することができる。その結果、その隙間領域における耐不正行為機能を向上させることができ、安心かつ安全に遊技を楽しむことができる遊技機を提供することができる。
【発明を実施するための最良の形態】
【００２７】
以下、本発明の実施の形態について図面を用いて説明する。図１は、本発明の実施の形態に係る遊技機としてのパチンコ機２の正面図である。このパチンコ機２は、枠体３、遊技盤（遊技演出体）６、前面ガラス（前面透明板）１０、装飾枠（前面枠）１２、皿枠１６を有している。
【００２８】
なお、遊技機は、パチンコ機２の他にパチスロ機、スロットマシン、パロット機、コインゲーム機等のアーケードマシン、各種ゲーム機を概念することができる。すなわち、遊技演出体を内部に保持する枠体の前方に、開閉可能な前面枠及びその下方に配置された皿枠を有するあらゆる遊技機を概念として含む。パチンコ機においても、アレンジボール機、雀球機等の組合せ式パチンコ機、いわゆるデジパチタイプ（１種タイプ）やハネモノタイプ（２種タイプ）のパチンコ機等の種々のパチンコ機を概念することができるが、本実施の形態においては、デジパチ遊技を実現するいわゆる１種タイプのパチンコ機（セブン機ともいう。）について例示説明する。
【００２９】
パチンコ機２の枠体３は、後述する遊技盤６を保持するためのもので、装飾枠１２と協働してこのパチンコ機２の周囲及び前方又はそれらに加えて後方を囲むように構成される。枠体３の内部には、遊技盤６の他にも各種電子基板や遊技媒体用の経路等各種機構部品が配置され、枠体３及び装飾枠１２によって周囲側方及び前方又はそれらに加えて後方からのパチンコ機２内部への不正アクセスが防止されるようになっている。
【００３０】
例えば、最外郭に配置されてパチンコ機２の側方周囲を囲む筐体枠４、その内側に配置されて遊技盤６を保持する機枠９とを有して枠体３が構成される。そして、その機枠９の前方には、前面ガラス１０とその周囲を装飾する装飾部材６１とを保持する装飾枠１２が配置される。なお、前面ガラス１０は、枠体３内部に保持された遊技盤６を前方から遊技者が視認することができるようにするための透明部材であるが、詳細は後述する。
【００３１】
遊技盤６は、その遊技盤面６ａ側で球（遊技媒体）５１の流下による遊技を実現する盤状部材であり、遊技盤面６ａを前方から遊技者にとって視認可能となるように枠体３（本実施の形態においては、枠体３の一部としての機枠９。）に保持されている。その遊技盤面６ａには略円形状に周囲を囲むようにレール飾り（不図示）が取り付けられており、レール飾りの内周面（内側面）が遊技盤面６ａに対して立設するように配置されている。そして、その内側面によって画定され、内側面に面した略円形状の領域が遊技領域６ｂとなっている。
【００３２】
遊技領域６ｂには、その遊技領域６ｂ内を流下する球５１と衝突してその流下方向を変更させるための多数のゲージ（障害釘、不図示）が配置されている。また、遊技領域６ｂ内には、大入賞口５０、普通入賞口５３、始動口５５等の各種入賞口、通過ゲート５７、風車（不図示）等も配置されており、流下する球５１が各入賞口に流入して景品球払出しの契機となったり、通過ゲート５７を通過したり、風車を回転させたりすることによって、球５１による流下遊技を楽しむことができるようになっている。
【００３３】
遊技領域６ｂ内の略中央部近傍には、例えばセンター役物７が配置され、そのセンター役物７は、図柄表示装置７ａとセンター飾り８とを有している。センター飾り８は、装飾的な造形が施され、また、センター役物７内に流入した球５１の流下態様に変化を与えて遊技演出を実現するステージが形成された造形部材であり、図柄表示装置７ａの表示画面７ｂ周囲に配置されている。
【００３４】
図柄表示装置７ａは、遊技者が遊技盤面６ａ側から視認可能となるように配置され、その表示画面（映像表示面）７ｂ上に映像表示を行う表示装置であって、例えば、液晶表示装置・有機ＥＬディスプレイ・ＬＥＤ等が適用される。図柄表示装置７ａの表示画面７ｂには、３桁の数字又は文字等により構成される図柄７ｃが回転又は停止するように映像として表示される。また、例えば、キャラクター等によるストーリー仕立ての映像としての演出映像も表示されるようになっている。通常遊技時や特別遊技（いわゆる大当たり。）時において、各種図柄７ｃや演出映像を表示することにより、遊技の興趣向上を図ることができるようになっている。
【００３５】
後述する発射ユニットにより球５１が発射されると、球５１はレール飾りの内側面に沿いつつ進行して遊技領域６ｂ内の上部に至る。その後、球５１はゲージに衝突しつつ遊技領域６ｂ内を下方に流下し、あるものは普通入賞口５３に入賞して一定数の景品球払出しの契機となり、あるものはいずれの入賞口にも入賞せずに遊技領域６ｂ内最下部に位置するアウト口５９に流入してパチンコ機２の外部へと排出される。
【００３６】
球５１が始動口５５に流入すると、その流入に起因して図柄表示装置７ａの図柄７ｃが回転表示（特別遊技の抽選。）を開始し、その図柄７ｃが所定の態様（例えば、「７・７・７」。）で停止表示すれば、図柄変動遊技における大当たり（特別遊技）が発生する。そして、大入賞口５０の開閉扉が開放して多量の入賞球を受け入れ、多量の景品球が貯留皿１４へと払い出されるようになっている。
【００３７】
前面ガラス１０は、遊技盤６に対して一定距離以上離間して配置された透明板である。前面ガラス１０は透明平板ガラスで形成されて装飾枠１２の裏面側に保持され、遊技盤６との間に球５１が流下する流下空間を形成する機能、遊技者が前面ガラス１０を通して遊技盤６を視認できるように視認性を確保する機能、遊技者が遊技盤６に不正にアクセス（接触）できないように不正アクセスを防止する機能、を発揮する。
【００３８】
このパチンコ機２は、球５１を遊技領域６ｂに向けて発射する発射ユニット（不図示）も有している。発射ユニットは、貯留皿１４の一部としての上皿１４ａから球供給装置（不図示）によって発射位置に送り出された球５１を、遊技領域６ｂの上部に向けて発射（弾球）するためのものである。発射ユニットは、例えば発射位置の球５１を弾球する発射杆、その発射杆を駆動する発射モータ、発射杆を付勢して弾球力を発生させる発射バネ等を有してユニット構成され、機枠９に取り付けられている。球発射のために、遊技者の操作に基づいて球発射のオンオフ及びその発射強度調整を実現する発射ハンドル１５は、発射ユニットの一部としてパチンコ機２の前面下方に設けられている。
【００３９】
装飾枠１２は、機枠９の前方に配置されて、例えば樹脂を材料とする枠部材であり、その中央に大きな開口部が形成されている。装飾枠１２の裏面側（後面側）には、開口部を塞いで前面ガラス１０が配置されており、その開口部の周囲には、興趣向上に寄与する装飾部材６１が配置されている。この前面ガラス１０とその周囲の装飾部材６１とが協働して、パチンコ機２の主に前方からの内部への不正アクセスを防止する機能を発揮している。
【００４０】
装飾枠１２は、正面視左側部近傍において上下に延びる揺動軸Ｘ周りに機枠９に対して前後揺動可能とされている。そのため、閉鎖されて施錠装置（不図示）によって枠体３と施錠状態にある場合は、パチンコ機２の外部から内部（例えば、遊技盤６。）への不正アクセスが防止され、解錠された場合には、この揺動軸Ｘを中心として容易に前方へ開放可能となり、内部のメンテナンス等を簡単に行うことができるようになっている。
【００４１】
皿枠１６は、機枠９の前方であって装飾枠１２の下方に配置された、例えば樹脂を材料とする枠部材である。皿枠１６は、その前面側に貯留皿１４を有しており、装飾枠１２の下方に隣接するように配置されてパチンコ機２の前面下方部分を覆っている。すなわち、装飾枠１２と皿枠１６とが協働することによって、パチンコ機２の前方が閉鎖されて内部への不正アクセスが防止されている。なお、皿枠１６の更に下方にはパチンコ機２の前方最下方部を覆う幕板６３が配置されているが、その説明については省略する。
【００４２】
貯留皿１４は、遊技者の持ち球を貯留するためにパチンコ機２の前面に配置された皿部材であって、本実施の形態においては上皿１４ａと下皿１４ｂとを有している。上皿１４ａは、皿枠１６の上部近傍に位置しており、発射すべき球５１を発射ユニットに向けて送出すべく球を貯留している。その上皿１４ａ内の球５１は、球排出ボタン１４ｃによって皿枠１６の下部近傍に位置する下皿１４ｂへと排出することができるようになっている。下皿１４ｂは、上皿１４ａから排出された球５１やファール球を受け取るためのものであって、遊技終了時には、下皿１４ｂ内の球５１を球抜きレバー（不図示）によって、球箱へと落下させることができるようになっている。
【００４３】
図２は、この装飾枠１２と皿枠１６との対向部分（図１中の領域Ａ部分。）を部分的に拡大して示す部分拡大正面図である。装飾枠１２の下面１２ａと皿枠１６の上面１６ａとの間には、装飾枠１２のスムーズな揺動開閉のために、隙間Ｇが確保されている。そして、装飾枠１２の下面１２ａには、下方に突出する複数の下向きリブ１２ｂが設けられ、皿枠１６の上面１６ａには、上方に突出する複数の上向きリブ１６ｂが設けられている。
【００４４】
図３（ａ）は、皿枠１６の上面１６ａを上方から見て上向きリブ１６ｂ部分を拡大した部分拡大上面図である。また、図３（ｂ）は、装飾枠１２の下面１２ａを下方から見て下向きリブ１２ｂ部分を拡大した部分拡大底面図である。図３（ａ）においては、装飾枠１２の図示を省略し、図３（ｂ）においては、皿枠１６の図示を省略している。なお、図４（ａ）は、上向きリブ１６ｂを斜め上方から見た外観斜視図であり、図４（ｂ）は、下向きリブ１２ｂを斜め下方から見た外観斜視図である。
【００４５】
下向きリブ１２ｂ及び上向きリブ１６ｂは、共にパチンコ機２の前後方向（図３中の矢印Ｙ方向。）に沿って延びるように設けられている。そして、図２に示すように、その正面視において下向きリブ１２ｂと上向きリブ１６ｂとは左右方向に沿って並んで配置されている。リブ１２ｂ，１６ｂが前後方向に延びて左右方向に並ぶように配置されているので、上下のリブの高さ位置がオーバーラップするように（すなわち、側面視において、下向きリブ１２ｂと上向きリブ１６ｂとが互いに重なり合うように。）形成しても、装飾枠１２の開閉時にリブ同士の衝突を回避することができる。また、装飾枠１２や皿枠１６を樹脂成型で形成する際に、型抜き方向を前後方向とすることができる。したがって、装飾部材６１や貯留皿１４の造形形状を複雑にすることができ、リブによる不正防止と造形による興趣向上との両立を図ることができる。
【００４６】
本実施の形態においては、２つの下向きリブ１２ｂに対して１つの上向きリブ１６ｂが１組のリブセットを為し、数組のリブセットが並ぶように配置されているが、もちろん、１つの下向きリブ１２ｂと１つの上向きリブ１６ｂとが１組のリブセットを為し、互い違いとなるように並んで配置されてもよい。リブセットにおける下向きリブ１２ｂと上向きリブ１６ｂとの組合せは設計上の都合に応じて変更することができる。
【００４７】
下向きリブ１２ｂの下端１２ｃにおける高さ位置Ｈｄは、上向きリブ１６ｂの上端１６ｃにおける高さ位置Ｈｕ以下の高さ以下とされている。したがって、隙間Ｇの断面形状はジグザグ形状となっており、この隙間に不正回路基板等の厚みのある平板部材を挿入することができないようになっている。
【００４８】
なお、リブ１２ｂ，１６ｂの前後方向（矢印Ｙ方向）のすべての箇所において下向きリブ１２ｂの下端１２ｃにおける高さ位置Ｈｄが上向きリブ１６ｂの上端１６ｃにおける高さ位置Ｈｕ以下とされている必要はない。いずれかの箇所において、高さ位置Ｈｄが高さ位置Ｈｕ以下とされていれば、その箇所よりも後方（奥）への不正回路基板等の挿入を防止することができる。例えば、下面１２ａ及び上面１６ａにおける最前面で高さ位置Ｈｄが高さ位置Ｈｕ以下とされていれば、不正回路基板等を隙間Ｇに挿入する不正行為をパチンコ機２の前面において阻止することができる。
【００４９】
ただし、下向きリブ１２ｂの下端１２ｃは、装飾枠１２の閉鎖時においても皿枠１６の上面１６ａと離間するように設定されている。また、上向きリブ１６ｂの上端１６ｃも、装飾枠１２の閉鎖時において装飾枠１２の下面１２ａと離間するように設定されている。装飾枠１２の開閉を繰り返し行っても下向きリブ１２ｂと皿枠１６とが接触したり衝突したりせず、上向きリブ１６ｂと装飾枠１２とが接触したり衝突したりしない。したがって、装飾枠１２や皿枠１６の損傷や磨耗を防止して耐久性を向上させることができる。
【００５０】
図５は、下向きリブ１２ｂと上向きリブ１６ｂとの左右方向における位置関係を説明するために、両者を上方から見た上面模式図である。揺動軸Ｘから下向きリブ１２ｂまでの距離をＲ、下向きリブ１２ｂの後端部から揺動軸Ｘ側に隣り合う上向きリブ１６ｂの前端部までの長さをＬとしたときに、下向きリブ１２ｂと上向きリブ１６ｂとの距離Ｗを、
Ｗ  ≧  （Ｒ２＋Ｌ２）１／２  −  Ｒ
で近似的に設定している。したがって、装飾枠１２を揺動軸Ｘ周りに揺動回転させて開閉動作を行っても、下向きリブ１２ｂの移動軌跡Ｔが上向きリブ１６ｂと重複しないようになっている。装飾枠１２の開放時に下向きリブ１２ｂと上向きリブ１６ｂとが干渉しないので、開閉をスムーズに行うことができてリブの破損を防止することができ、ひいてはパチンコ機２の耐久性の向上に寄与することができる。
【００５１】
以上、本発明の好ましい実施の形態を説明したが、本発明はこれらに限定されるものではなく、その要旨の範囲内で様々な変形や変更が可能である。
【００５２】
［変形例１］
図６は、本発明の変形例１に係るパチンコ機２の装飾枠１２と皿枠１６との隙間Ｇ部分を側方から見て模式的に示す側方模式図である。このパチンコ機２においては、下向きリブ１２ｂの下端１２ｃと上向きリブ１６ｂの上端１６ｃとが共に、パチンコ機２の前方から後方に向けて（すなわち、図６中の左側から右側に向けて。）上向き傾斜している。その傾斜角θは、例えば１°〜１０°程度が好ましい。
【００５３】
装飾枠１２は、その開放時にはパチンコ機２の前方に向けて開放され、閉鎖時にはパチンコ機２の後方に向けて閉鎖されて皿枠１６の略上方に位置して両リブ１２ｂ，１６ｂが隙間Ｇを構成する。下端１２ｃと上端１６ｃとが共に後方に向けて上向き傾斜しているので、装飾枠１２の閉鎖時に下端１２ｃが皿枠１６の上面１６ａを掬い、上端１６ｃが装飾枠１２の下面１２ａを掬う状況となる。したがって、装飾枠１２の開閉をスムーズに行うことができ、例えば、装飾枠１２がその自重で傾き下面１２ａが下がってしまった場合であっても、装飾枠１２と皿枠１６との衝突を回避して破損を防止することができる。
【００５４】
また、リブ高さが前後方向に沿って傾斜しているので、型抜き方向を前後方向として装飾枠１２や皿枠１６を樹脂成型する際に、その傾斜が抜き勾配となって成型が容易となり、成型部品の歩留り向上等の効果を発揮する。
【００５５】
［変形例２］
図７は、本発明の変形例２に係るパチンコ機２の装飾枠１２と皿枠１６との隙間Ｇ部分を側方から見て模式的に示す側方模式図である。このパチンコ機２においては、下向きリブ１２ｂの下端１２ｃがパチンコ機２の前方から後方に向けて（すなわち、図７中の左側から右側に向けて。）上向き傾斜し、上向きリブ１６ｂの上端１６ｃがパチンコ機２の前方から後方に向けて下向き傾斜している。そして、パチンコ機２の前面近傍において、下向きリブ１２ｂの下端１２ｃの高さ位置が上向きリブ１６ｂの上端１６ｃの高さ位置以下とされている。
【００５６】
装飾枠１２の閉鎖時において、パチンコ機２前面近傍以外の部分における隙間Ｇを大きくとることができる。したがって、装飾枠１２の開閉時における皿枠１６との干渉の虞を一層低減することができる。その前面近傍においては、隙間Ｇが下向きリブ１２ｂと上向きリブ１６ｂとによって狭くかつジグザグに形成されているので、前面近傍において不正回路基板等の挿入を阻止することができる。なお、リブ１２ｂ，１６ｂは、前面近傍において設けられていればよく、装飾枠１２や皿枠１６の後面側にまで設けられている必要はない。
【図面の簡単な説明】
【００５７】
【図１】本発明の実施の形態に係るパチンコ機の正面図である。
【図２】図１に示すパチンコ機における装飾枠と皿枠との対向部分を部分的に拡大して示す部分拡大正面図である。
【図３】（ａ）は、図２に示す装飾枠の下面を下方から見て下向きリブ部分を拡大した部分拡大底面図であり、（ｂ）は、図２に示す皿枠の上面を上方から見て上向きリブ部分を拡大した部分拡大上面図である。
【図４】（ａ）は図３（ａ）に示す上向きリブを斜め上方から見た外観斜視図であり、（ｂ）は図３（ｂ）に示す下向きリブを斜め下方から見た外観斜視図である。
【図５】図３に示す下向きリブと上向きリブとの左右方向における位置関係を説明するために、両者を上方から見た上面模式図である。
【図６】本発明の変形例１に係るパチンコ機の装飾枠と皿枠との隙間部分を側方から見て模式的に示す側方模式図である。
【図７】本発明の変形例２に係るパチンコ機の装飾枠と皿枠との隙間部分を側方から見て模式的に示す側方模式図である。
【符号の説明】
【００５８】
Ａ：領域
θ：傾斜角
Ｇ：隙間
Ｈｄ，Ｈｕ：高さ位置
Ｔ：移動軌跡
Ｘ：揺動軸
Ｙ：矢印
２：パチンコ機（遊技機）
３：枠体
４：筐体枠（枠体の一部）
６：遊技盤（遊技演出体）
６ａ：遊技盤面
６ｂ：遊技領域
７：センター役物
７ａ：図柄表示装置
７ｂ：表示画面（映像表示面）
７ｃ：図柄
８：センター飾り
９：機枠（枠体の一部）
１０：前面ガラス（前面透明板）
１２：装飾枠（前面枠）
１２ａ：下面
１２ｂ：下向きリブ
１２ｃ：下端
１４：貯留皿
１４ａ：上皿
１４ｂ：下皿
１４ｃ：球排出ボタン
１５：発射ハンドル
１６：皿枠
１６ａ：上面
１６ｂ：上向きリブ
１６ｃ：上端
５０：大入賞口
５１：球（遊技媒体）
５３：普通入賞口
５５：始動口
５７：通過ゲート
５９：アウト口
６１：装飾部材
６３：幕板
【図１】
0004831631.tif 000002
【図２】
0004831631.tif 000003
【図３】
0004831631.tif 000004
【図４】
0004831631.tif 000005
【図５】
0004831631.tif 000006
【図６】
0004831631.tif 000007
【図７】
0004831631.tif 000008